【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
腰部開口部と一対の脚部開口部とを有する伸縮吸収性パンツの製造方法であって、
複数の弾性分布を移動材料シート上に連続的に加えて移動弾性複合材ウェブを形成するステップと、
コア部を前記移動ウェブ上に周期的に加えるステップと、
第２の材料シートを前記移動ウェブに加えて別個の弾性複合体ウェブを形成するステップと、
前記弾性複合体を脚部開口部および腰部開口部を有する吸収性パンツに成形するステップと、
を備える方法。
【請求項２】
前記成形ステップが、各複合体の下半分と上半分の各々を接合して、前記弾性複合体に複数の実質的に連続的な弾性分布を形成することを含む請求項１に記載の方法。
【請求項３】
前記接合ステップが、腰部開口部と一対の脚部開口部の各々の周りに環状弾性領域を形成する請求項２に記載の方法。
【請求項４】
前記接合ステップの前に、長手方向中心線に沿って前記ウェブを折り畳むステップを含み、前記接合ステップが２つの側部縫い目に沿って前記２つの半分をシールして少なくとも腰部開口部を形成することを含む請求項２に記載の方法。
【請求項５】
前記接合ステップ後、前記弾性複合体の各側部境界が横方向の側部縫い目と前記切抜き部から成るように、前記接合ステップの前に、隣接弾性複合体に隣接する位置で前記完成ウェブの切抜き部を周期的に切断するステップを含む、請求項４に記載の方法。
【請求項６】
前記成形ステップが、前記切抜き部を二等分する切断線に沿って前記完成ウェブを分断することをさらに含む請求項４に記載の方法。
【請求項７】
前記接合ステップが前記分断ステップに先行し、前記分断ステップが腰部開口部と、一対の脚部開口部と、２つの横方向の側部縫い目を通って延びる複数の弾性分布とを有する弾性吸収性パンツを生成する請求項６に記載の方法。
【請求項８】
１つまたは２つ以上の前記複数の弾性分布を周期的に分断して前記弾性分布に間隙を形成するステップをさらに含み、前記間隙が、弾性体の存在しないウェブ上の領域に相当するように予め配置される請求項１に記載の方法。
【請求項９】
前記付加ステップの各々が、別個の弾性複合体の移動ウェブの１つの層要素を機械方向に加えることを含む請求項１に記載の方法。
【請求項１０】
吸収性物品の弾性複合体が分離される弾性複合材ウェブの製造方法であって、
材料シートの連続ウェブを長手方向または機械方向に搬送するステップと、
複数の連続的な弾性分布を前記移動ウェブ上に加えて弾性複合材ウェブを形成し、それによって、前記弾性分布が全体として機械方向に延びるステップと、
コア部を前記移動弾性複合材ウェブに周期的に加えるステップと、
表面材料シートを前記コア部を含む前記ウェブ上に連続的に加えるステップと、
を含む方法。
【請求項１１】
前記連続的弾性分布を加えるステップが、前記弾性分布が前記移動弾性複合材ウェブに向かって機械方向に進むとき前記弾性分布の横方向位置を変動させることによって前記移動ウェブに少なくとも２つの周期的な弾性分布を設ける請求項１０に記載の方法。
【請求項１２】
前記連続的分布を加えるステップが、前記材料シートとの係合前に前記弾性分布の横方向位置を周期的に変動させることを含む請求項１１に記載の方法。
【請求項１３】
前記連続的分布を加えるステップが、横方向位置を周期的に変動させて、前記移動弾性複合材ウェブ上に２つの曲線状パターンを設けることを含む請求項１２に記載の方法。
【請求項１４】
前記連続的分布を加えるステップが、コア部を加えるステップで、環状弾性領域が前記コアの周囲に設けられるように、前記曲線状のパターンを交差するように方向付けることを含む、請求項１３に記載の方法。
【請求項１５】
前記連続的分布を加えるステップが、前記ウェブに弾性環状領域を周期的に形成する一対の全体として正弦波状パターンを設ける請求項１１に記載の方法。
【請求項１６】
長手方向中心線を中心に前記移動ウェブを折り畳んで、折り畳まれた弾性複合体のウェブを形成することをさらに含み、各体が一対の機械を横切る切断線を中心に分断可能で、腰部開口部を有する完成した吸収性物品を形成する請求項１０に記載の方法。
【請求項１７】
前記分断ステップの前に、前記機械を横切る切断線に沿ってシールし、前記吸収性物品の上腰部領域を形成することをさらに備える請求項１６に記載の方法。
【請求項１８】
弾性環状領域によって境界付けられる前記移動ウェブの部分を周期的に切断し、周りに弾性環状領域を有する脚部開口部を形成するステップをさらに含む請求項１７に記載の方法。
【請求項１９】
前記切断ステップが、長手方向中心線を中心に非対称に前記移動ウェブに周期的に穴を開け、それによって、非均一な前部と後部を有する脚部開口部を生成することを含む請求項１８に記載の方法。
【請求項２０】
吸収性パンツ状の伸縮使い捨て吸収性物品であって、
裏面シートと、表面シートと、前記裏面シートと表面シートの間の吸収性コアと、前記表面シートと裏面シートとの間の複数の弾性分布とを有する弾性複合体であって、前端縁、後端縁、および各々が頂部、底部、およびそれらの間の非線形切抜き部を有する２つの横方向側縁を有する弾性複合体と、
前記端縁によって形成される腰部開口部と、
各々が前記横方向側縁のうちの一方の前記切抜き部によって少なくとも部分的に形成される一対の脚部開口部と、
各々が前記横方向側縁のうちの一方の前記頂部と底部の接合によって形成される一対の側部縫い目と、
を備え、
前記弾性分布が前記側部縫い目で接合されて各脚部開口部周りに実質的に環状の弾性領域を形成する物品。
【請求項２１】
前記シールされた側縁で接合されて、前記腰部開口部周りに実質的に環状の弾性領域を形成する一対の弾性分布をさらに備える請求項２０に記載の吸収性物品。
【請求項２２】
前記弾性複合体が、前記複合体の横幅にわたって横方向に延び、前記シール縁部で接合されて実質的に環状の弾性領域を形成する一対の弾性分布を含む請求項２１に記載の吸収性物品。
【請求項２３】
前記一対の弾性分布が前記コアと一致する環状弾性領域を形成する請求項２２に記載の吸収性物品。
【請求項２４】
前記弾性分布のうち１つまたは２つ以上が前記コアを横断して弾性を与える請求項２２に記載の吸収性物品。
【請求項２５】
前記弾性分布は前記コアの領域に間隙を空けられる請求項２０に記載の吸収性物品。
【請求項２６】
複数の層要素を有する弾性複合体ウェブの製造システムであって、
前記各層要素の連続的な線形入力を受け取り、前記弾性複合体の連続ウェブを配送し、第１のローラを有する中央接合ステーションと、
前記弾性分布を前記ローラに横方向に可変に方向付けるための横方向可動ガイドを有する１つまたは２つ以上の入力供給源を含む、複数弾性分布の入力供給源と、
シート材料の複数の線形入力供給源と、
コア部を前記ステーションに周期的に配送する入力供給源と、
を備えるシステム。
【請求項２７】
ステーションおよび前記入力供給源が、前記入力供給源の各々が１つの層要素を前記ローラに機械方向に加えるように配置される請求項２６に記載のシステム。
【請求項２８】
前記入力供給源の各々が、前記ローラの軸とほぼ垂直方向から前記ローラを送るように配置される請求項２７に記載のシステム。
【請求項２９】
前記連続的な弾性分布を加えるステップは、前記弾性分布が前記移動弾性複合材ウェブに向かって前記機械方向に進むにつれ前記弾性分布の横方向位置を変動させることによって、少なくとも２つの周期的な前記弾性分布を前記移動ウェブ上に加え、
前記周期的な分布の各々は、湾曲した部分を有し、前記周期的な分布の湾曲した部分は、楕円形状に近くなるように間隔を隔てられ、
前記成形するステップは、各複合体の下半分と上半分の各々を接合して前記弾性複合体に複数の実質的に連続的な弾性分布を形成することを含み、前記接合するステップは、腰部開口部周り、及び、略楕円形状によって形成される一対の脚部開口部領域の各々の周りに環状弾性領域を形成し、
前記略楕円形状内の前記移動ウェブの部分を周期的に切断して、周囲に弾性環状領域を有する脚部開口部を形成することを更に含む、
請求項１に記載の方法。
【請求項３０】
前記楕円形状は、長径よりも実質的に小さい短径を有し、前記２つの周期的な分布は、連続的に横方向に間隔を隔てられている、請求項２９に記載の方法。
【請求項３１】
前記２つの曲線状パターン間で前記移動ウェブの部分を周期的に切断して、周囲に弾性環状領域を有する脚部開口部を形成することを更に含み、
前記弾性環状領域は、前記脚部開口部の周りの楕円形状に近い前記曲線状パターンによって形成される、
請求項１３に記載の方法。
【請求項３２】
前記脚部開口部は、約７５度よりも大きい脚部開口部角度を定める、請求項３１に記載の方法。
【請求項３３】
前記２つの曲線状パターンは、高振幅部分と低振幅部分が交互に現れ、前記低振幅部分は、楕円形状をなし、
コア部を、前記高振幅部分に対応する、前記移動弾性ウェブの位置に配置することを更に含む、
請求項３１に記載の方法。
【請求項３４】
前記コア部を加える前に、中間材料シートを前記移動弾性ウェブ上に連続的に加えることを更に含み、
表面材料シートを連続的に加えるステップは裏面シートを加え、
前記移動ウェブを折り畳むステップは、前記裏面シート材料が外側に配置されるように、前記第１の材料シートに向って内方に折り畳むことを含む、
請求項１０に記載の方法。
【請求項３５】
前記コア部を、前記移動弾性ウェブの長手方向上に、前記移動弾性ウェブの縦移動方向に略垂直に加えることを更に含む、請求項１０に記載の方法。
【請求項３６】
前記複数の連続的な弾性分布を加えるステップは、弾性分布の２つのセットを加え、
コア部を周期的に配置した後、前記弾性分布の２つのセットは、前記コア部の周囲部と近い部分を含む、
請求項３５に記載の方法。
【請求項３７】
前記コア部の配置前に、前記コアの周囲部と近い部分で前記弾性分布の２つのセットに間隙を形成するステップを更に含む、請求項３６に記載の方法。
【請求項３８】
前記弾性分布は、前記配置されたコア部に係合して伸縮コア形態を形成する、請求項３５に記載の方法。
【請求項３９】
前記コア部の配置前に、材料シートが、前記移動弾性ウェブ上に加えられ、
前記弾性分布中の弾性体は、前記コア部が狭窄中央領域を有して伸縮性であるように前記コア部の位置で変化する、
請求項３８に記載の方法。
【請求項４０】
脚部開口部は、約７５度よりも大きい脚部開口部角度を定める、請求項２０に記載の吸収性物品。
【請求項４１】
前記複数の連続的な弾性分布は、前記コア部の周囲部と近い部分を有する弾性分布の２つのセットを含む、請求項２０に記載の吸収性物品。
【請求項４２】
弾性分布の２つのセットは、前記コアに係合して伸縮コア形態を形成する、請求項２０に記載の吸収性物品。
【請求項４３】
材料シートが、前記弾性分布と前記コアとの間に加えられ、前記弾性分布中の弾性体は、前記コア部が狭窄中央領域を有して伸縮性であるように前記コア部の位置で変化する、請求項４２に記載の吸収性物品。
【請求項４４】
前記伸縮コア形態は、ポケットまたはカップ形状である、請求項４２に記載の吸収性物品。
【請求項４５】
前記弾性分布が、前記コアの周囲に加えられて、上方に付勢されるポケットをコア周りに形成する、請求項４２に記載の吸収性物品。